(57)【要約】      （修正有）【課題】レセプタクルとプラグとの組合せによる防水コネクタの内部に異物が浸入することを防止する為にコネクタに貼着されるテープを、コネクタとの間に間隙が形成されない様貼着することができる防水コネクタ構造を提供する。【解決手段】レセプタクル１１のレセプタクル主体１１ａの後端部にフランジ状のテープガイド部１１ｄを形成し、このテープガイド部の外径を、レセプタクル主体に着脱自在に取付けられるプラグ４の連結ナット４ｂの外径と等しい又は略等しくして、これらテープガイド部の外周面１１ｅと連結ナットの外周面４ｅとを同一又は略同一の円筒面内に位置させる。これにより、テープ５ａはテープガイド部と連結ナットとに掛渡されて貼着され、連結ナットとテープガイド部との間隙を閉塞して異物の浸入を阻止する。【選択図】図１
2011014686.tif 000002
【特許請求の範囲】
【請求項１】
各種の機器装置の筐体にレセプタクルを固定し、該レセプタクルにプラグを結合させて、前記筐体にケーブルを貫通させる貫通孔を閉塞する防水コネクタ構造であって、前記レセプタクルの前記プラグとの結合部近傍に、プラグの連結ナットの外径と等しい又は略等しい外径を備えたテープガイド部を設けたことを特徴とする防水コネクタ構造。
【発明の詳細な説明】
【技術分野】
【０００１】
本発明は、各種の機器装置の筐体に電気配線等のケーブルを貫通させる場合に、貫通孔から水や粉塵等の異物が筐体内に浸入することを防止する為に、この貫通孔を閉塞させる防水コネクタ構造に関するものである。
【背景技術】
【０００２】
図５には従来のこの種の防水コネクタの構造を示してあり、この防水コネクタは、機器装置の筐体１に固定されて、ケーブル２が挿通されるレセプタクル３と、このレセプタクル３に着脱自在に組み合わされるプラグ４とを結合させることにより構成されている。図６に示す様に、筐体１の壁部に形成された貫通孔１ａに筒状のレセプタクル主体３ａの先端側を筐体１の外部側から挿通させ、筐体１の内側からこのレセプタクル主体３ａの先端部に着脱自在な固定ナット３ｂを、ネジ構造を介して締付けることにより、図５に示す様に、レセプタクル主体３ａに形成されたフランジ部３ｃと固定ナット３ｂとで筐体１を挾持する様にして、このレセプタクル３が筐体１に固定される。
【０００３】
他方、前記プラグ４は筒状のプラグ主体４ａとこのプラグ主体４ａに対して回動自在な連結ナット４ｂ、プラグ主体４ａの後端部にネジ構造によって着脱自在とされているプラグキャップ４ｃとを有する構造とされている。前記連結ナット４ｂは前記レセプタクル主体３ａの後端部にネジ構造を介して着脱自在とされており、この連結ナット４ｂをレセプタクル主体３ａに締付けると、プラグ主体４ａの先端部に形成されたフランジ部４ｄが、図５に示す様に、レセプタクル主体３ａの後端面に押圧されて、これらフランジ部４ｄとレセプタクル主体３ａの後端部とが密着される様にしてある。又、前記プラグキャップ４ｃを締付けることにより、プラグ主体４ａの後端部が縮径されてケーブル２と密着する様にしてある。
【０００４】
従って、図６に示す様に、筐体１に形成された貫通孔１ａとレセプタクル３との間隙が前記固定ナット３ｂとフランジ部３ｃとにより閉塞され、ケーブル２と、レセプタクル３及びプラグ４との間隙は、プラグキャップ４ｃにより閉塞され、レセプタクル３とプラグ４とは前記レセプタクル主体３ａの後端面とフランジ部４ｄとの密着によって閉塞されている。これにより、筐体１の内外部が遮断されることとなる。
【０００５】
ところで、連結ナット４ｂの締付け不良や、機器装置が発生する振動その他が原因して前記連結ナット４ｂが緩むと、図７に示す様に、前記レセプタクル主体３ａの後端面と前記フランジ部４ｄとに間隙Ｇが形成されてしまう虞れがある。この間隙Ｇを通って水や粉塵等の異物が連結ナット４ｂの内部に浸入し、レセプタクル主体３ａの内部を通って機器装置の内部に浸入してしまう虞れがある。
【０００６】
この為、特許文献１には、従来の技術的内容として、接合させた雄コネクタと雌コネクタの接合部周辺に自己誘着テープを巻付けて、２次的な防水処置を施す構成が開示されている。
【先行技術文献】
【特許文献】
【０００７】
【特許文献１】特開平１０−１７２６４６号公報
【発明の概要】
【発明が解決しようとする課題】
【０００８】
前記レセプタクル３とプラグ４とを結合させた状態で防水処理のテープを貼着させることが行われるが、前述した構造のレセプタクル３とプラグ４との組合せでは、次の様な問題が生じる虞れがある。
【０００９】
図８は、レセプタクル３とプラグ４とを結合させて筐体１に固定させた状態でテープ５を貼着させた場合を模式的に示している。このとき、連結ナット４ｂとレセプタクル３のフランジ部３ｃとの間に形成される間隙と段差とによりテープ５を十分に密着させることができず、このテープ５とレセプタクル３やプラグ４とに間隙が生じ、この間隙から異物が浸入する虞れが生じる。
【００１０】
前記連結ナット４ｂとフランジ部３ｃとの間隙をなくす為に、図９に示す様に、レセプタクル主体３ａを伸長させて、連結ナット４ｂとフランジ部３ｃとの間を拡開した構造とすることがある。然し、連結ナット４ｂとレセプタクル主体３ａとの段差にテープ５を密着させることができず、テープ５とレセプタクル３やプラグ４との間に間隙が形成されてしまう虞れがある。
【００１１】
本発明は斯かる実情に鑑み、防水の為等に貼着されるテープとの間に間隙が形成されることのない様にした防水コネクタ構造を提供するものである。
【課題を解決するための手段】
【００１２】
本発明は、各種の機器装置の筐体にレセプタクルを固定し、該レセプタクルにプラグを結合させて、前記筐体にケーブルを貫通させる貫通孔を閉塞する防水コネクタ構造であって、前記レセプタクルの前記プラグとの結合部近傍に、プラグの連結ナットの外径と等しい又は略等しい外径を備えたテープガイド部を設けた防水コネクタ構造に係るものである。
【発明の効果】
【００１３】
本発明によれば、各種の機器装置の筐体にレセプタクルを固定し、該レセプタクルにプラグを結合させて、前記筐体にケーブルを貫通させる貫通孔を閉塞する防水コネクタ構造であって、前記レセプタクルの前記プラグとの結合部近傍に、プラグの連結ナットの外径と等しい又は略等しい外径を備えたテープガイド部を設けたので、前記連結ナットとレセプタクルとの間に掛渡されて貼着されるテープは、連結ナットと前記テープガイド部とに掛渡されて貼着されることになる。テープガイド部には、連結ナットの外径と等しい又は略等しい外径を備えているから、前記テープは、これら連結ナットとテープガイド部に密着させて貼着される。この為、レセプタクルとプラグとの間に形成される間隙が確実に閉塞され、異物が機器装置の内部に浸入することが確実に防止される。
【図面の簡単な説明】
【００１４】
【図１】本発明に係る構造を備えた防水コネクタの概略構造を示す断面図であり、筐体に固定された状態を示している。
【図２】本発明に係るコネクタをレセプタクルとプラグに分離した状態を示す断面図である。
【図３】本発明に係る防水コネクタ構造の第２の実施例を示す断面図である。
【図４】本発明に係る防水コネクタ構造の第３の実施例を示す断面図である。
【図５】従来の防水コネクタの構造を説明する図で、筐体に固定された状態を示す断面図で、図１に相当する図である。
【図６】従来の防水コネクタの構造を説明する図で、レセプタクルとプラグとを分離して示す断面図であり、図２に相当する図である。
【図７】防水コネクタから内部に異物が浸入する典型的な状態を説明する図で、筐体に固定された防水コネクタの断面図である。
【図８】図７に示す防水コネクタに防水の為のテープを貼着させた状態を模式的に示す断面図である。
【図９】従来の防水コネクタの他の構造を説明する図で、図８に相当する図である。
【発明を実施するための形態】
【００１５】
以下、図面を参照しつつ本発明の実施例を説明する。
【実施例１】
【００１６】
本発明の実施例１を図１と図２に示してあり、前述した図５〜図７に示した防水コネクタ構造と同一の部位については同一の符号を付してある。
【００１７】
本発明では、コネクタ１０を組立てるレセプタクル１１のレセプタクル主体１１ａの一部であって、連結ナット４ｂが連結される近傍に、該連結ナット４ｂの外径と等しい又は略等しい外径を有するテープガイド部１１ｄが形成されたものである。即ち、テープガイド部１１ｄの外周面１１ｅと連結ナット４ｂの外周面４ｅとが同一の円筒面上に位置している様にしたものである。このテープガイド部１１ｄは、後述する様に、テープ５が貼着されるのに十分な肉厚を備えたフランジ状に形成されているものであり、３ｍｍ以上の肉厚とすることが好ましい。
【００１８】
このコネクタ１０を組立てるには、機器装置の筐体１の貫通孔１ａに、機器装置の外部側からレセプタクル主体１１ａの先端側を挿入し、該先端部に固定ナット１１ｂを締付けると、レセプタクル主体１１ａのフランジ部１１ｃと固定ナット１１ｂとで筐体１が挾持されて、レセプタクル１１が筐体１に固定される。
【００１９】
ケーブル２を挿通させたプラグ４の連結ナット４ｂをレセプタクル主体１１ａの後端部に締付ける。又、プラグキャップ４ｃをプラグ主体４ａの後端部に締付けて、該プラグ主体４ａの後端部を縮径させることによりケーブル２を該後端部で挾持させる。この状態で、このコネクタ１０により筐体１を備えた機器装置の内外部が遮断される。
【００２０】
尚、ケーブル２は、図に示す様なコネクタ１０に挿通された連続する一本のケーブルであってもよいし、プラグ４とレセプタクル１１の境界で分離された２本のケーブルであっってもよい。後者の場合は、例えば、プラグ４の内部にモジュラーを設け、レセプタクル１１の内部にコネクタを設け、プラグ４とレセプタクル１１を組合わせた時に前記モジュラーとコネクタを接続することで、２本のケーブルを接続する。
【００２１】
そして、図１に示す様に、テープ５をコネクタ１０に巻回する。このとき、レセプタクル１１とプラグ４とに掛渡されるテープ５ａは、同図に示す様に、連結ナット４ｂとレセプタクル主体１１ａのテープガイド部１１ｄとに渡って貼着される。これら、連結ナット４ｂの外周面４ｅとテープガイド部１１ｄの外周面１１ｅとは、同一又は略同一の円筒面内に位置しているから、テープ５ａはこの円筒面に沿った状態で外周面４ｅと外周面１１ｅとのそれぞれに貼着される。従って、連結ナット４ｂとテープガイド部１１ｄとの間に形成される間隙Ｔがこのテープ５ａにより閉塞された状態となって、この間隙Ｔからの異物の浸入が阻止される。この為、間隙Ｇが形成されている場合であっても、コネクタ１０の内部への異物の浸入が阻止されている。又、テープ５ａの先端部はテープガイド部１１ｄの側面に貼着させることで、整った状態で貼着することができ、該テープ５ａとレセプタクル１１との間に間隙が形成されることがない。
【実施例２】
【００２２】
次に、本発明の実施例２に係る防水コネクタ構造について、筐体１に固定された状態を示す図３を参照して説明する。尚、前述した図５〜図７に示した防水コネクタ構造と同一の部位については同一の符号を付してある。
【００２３】
この実施例２に係る構造のコネクタ１４は、レセプタクル１５のレセプタクル主体１５ａに、連結ナット４ｂの外周面４ｅと同一又は略同一の円筒面にある外周面１５ｅを備えて形成されたテープガイド部１５ｄの肉厚を大きくして、テープ５ｂがこのテープガイド部１５ｄの外周面１５ｅを覆う状態となる様にしたものである。テープガイド部１５ｄの肉厚は、例えばテープ５の幅の１／２程度とする。この為、テープ５ｂの先端部をテープガイド部１５ｄの側面に回込ませる必要がない。而も、テープ５ｂは連結ナット４ｂの外周面４ｅとテープガイド部１５ｄの外周面１５ｅとに掛渡されて貼着されることにより、連結ナット４ｂとテープガイド部１５ｄとの間隙Ｔが閉塞されて、異物の浸入が阻止される。尚、レセプタクル主体１５ａは先端部に固定ナット１５ｂが締付けられることにより、該固定ナット１５ｂとフランジ部１５ｃとが筐体１を挾持することにより該筐体１に固定される。
【００２４】
又、図３に於いては、テープガイド部１５ｄを、テープ５ｂの先端部が達する位置に先端縁が位置する様に形成してあるが、テープ５ｂの先端部がテープガイド部１５ｄの外周面１５ｅに貼着される状態であればよく、更に、テープガイド部１５ｄをレセプタクル１５のフランジ部１５ｃに一体的に形成するものであっても構わない。
【実施例３】
【００２５】
本発明の実施例３を図４に示してあり、コネクタ１７が筐体１に固定された状態を示している。尚、前述した図５〜図７に示した防水コネクタ構造と同一の部位については同一の符号を付してある。
【００２６】
この実施例３に係る構造のコネクタ１７は、レセプタクル１８のレセプタクル主体１８ａに形成されたテープガイド部１８ｄの外周面が、連結ナット４ｂ側の端部では該連結ナット４ｂと同一又は略同一の円筒面内に形成した円筒面部１８ｅと、該円筒面部１８ｅの先端部側の適宜位置からフランジ部１８ｃの基端部にかけて形成した円錐面部１８ｆとによって形成されたものである。この為、テープ５ｃを連結ナット４ｂの外周面４ｅとテープガイド部１８ｄとに掛渡して貼着されたテープ５ｃは、図４に示す様に、円筒面部１８ｅと円錐面部１８ｆとにかけて貼着されることになる。而も、このテープ５ｃは連結ナット４ｂの外周面４ｅにも貼着されるから、該連結ナット４ｂとテープガイド部１８ｄとの間隙Ｔがテープ５ｃにより閉塞されて、異物の浸入が阻止される。尚、レセプタクル主体１８ａは先端部に固定ナット１８ｂが締付けられることにより、該固定ナット１８ｂとフランジ部１８ｃとが筐体１を挾持することにより該筐体１に固定される。この実施例にあっては、円錐面部１８ｆが斜めに形成されていることから、テープ５ｃとの接触面を効果的に広げることができ、レセプタクル１８の全長を実施例２に比して短くすることができる。又、実施例２に示したテープガイド部１５ｄに比して肉厚部分が減少する為、レセプタクル１５を射出成型したときの肉やせを低減することができる。
【００２７】
本発明に係る構造を備えた防水コネクタの活用例として、電源ケーブルや信号用ケーブルその他のケーブルを貫通させる為に筐体に形成された貫通孔を確実に閉塞すると共に、内部への異物の浸入を確実に阻止できることから、内部に異物が浸入する虞れのある、例えば屋外の様に悪環境の場所等に設置される各種の機器装置に適している。
【００２８】
（付記）
又、本発明は以下の実施の態様を含む。
【００２９】
（付記１）
図３に示す様に、テープガイド部１５ｄの肉厚を、その外周面１５ｅにテープ５ｂが貼着される大きさとした防水コネクタ構造。この場合、テープガイド部１５ｄをレセプタクル１５のフランジ部１５ｃと一体としても構わない。
【００３０】
（付記２）
図４に示す様に、テープガイド部１８ｄの外形を、その連結ナット４ｂ側の外周面を該連結ナット４ｂの外周面を含む円筒面内に位置させた円筒面部１８ｅと、この円筒面部１８ｅの先端部に連続させた円錐面部１８ｆとで形成した防水コネクタ構造。
【符号の説明】
【００３１】
１                筐体
１ａ              貫通孔
２                ケーブル
３                レセプタクル
４                プラグ
４ａ              プラグ主体
４ｂ              連結ナット
４ｃ              プラグキャップ
４ｄ              フランジ部
４ｅ              外周面
５                テープ
５ａ、５ｂ、５ｃ  テープ
１０              コネクタ
１１              レセプタクル
１１ａ            レセプタクル主体
１１ｄ            テープガイド部
１１ｅ            外周面
１４              コネクタ
１５              レセプタクル
１５ａ            レセプタクル主体
１５ｄ            テープガイド部
１５ｅ            外周面
１７              コネクタ
１８              レセプタクル
１８ａ            レセプタクル主体
１８ｄ            テープガイド部
１８ｅ            円筒面部
１８ｆ            円錐面部
Ｇ                間隙
Ｔ                間隙
【図１】
2011014686.tif 000003
【図２】
2011014686.tif 000004
【図３】
2011014686.tif 000005
【図４】
2011014686.tif 000006
【図５】
2011014686.tif 000007
【図６】
2011014686.tif 000008
【図７】
2011014686.tif 000009
【図８】
2011014686.tif 000010
【図９】
2011014686.tif 000011